(57)【要約】【課題】プロテクタに挿入する電線がプロテクタ本体の側壁と蓋との間に噛み込むのを防止するプロテクタを提供する。【解決手段】蓋とヒンジ部を介して連結するプロテクタ本体の第１側壁は他方の第２側壁より高くする一方、前記蓋の開閉端縁に沿って前記第２側壁の上部外面に被せる垂れ壁を設け、該垂れ壁と前記第２側壁に互いに嵌合係止する係止部と被係止部を設け、該係止部と被係止部との係止状態で該第２側壁の上端と前記蓋の内面との間に電線噛込防止用空間をあけ、かつ、前記第２側壁の内面から電線挿通路の中心側に向けて上向き傾斜した飛出防止リブを突設すると共に、前記蓋の内面に噛込防止リブを下向きに突設し、前記噛込防止リブは、蓋閉鎖状態で、前記飛出防止リブおよび第２側壁内面と接触せず、前記第２側壁内面と前記飛出防止リブとに挟まれた開閉側空間に上方から下向きに突出している。【選択図】図１
2013207924.tif 000002
【特許請求の範囲】
【請求項１】
底壁と、該底壁の幅方向両端から突設される第１側壁と第２側壁とで電線挿通路を囲むプロテクタ本体と、前記第１側壁の上端にヒンジ部を介して一体的に設けた蓋とを備えたワイヤハーネス用のプロテクタであって、
前記蓋とヒンジ部を介して連結する前記第１側壁は第２側壁より高くする一方、前記蓋の開閉端縁に沿って前記第２側壁の上部外面に被せる垂れ壁を設け、該垂れ壁と前記第２側壁に互いに嵌合係止する係止部と被係止部を設け、該係止部と被係止部との係止状態で該第２側壁の上端と前記蓋の内面との間に電線噛込防止用空間をあけ、かつ、
前記第２側壁の内面から前記電線挿通路の中心側に向けて上向き傾斜した飛出防止リブを突設すると共に、前記蓋の内面に噛込防止リブを下向きに突設し、
前記噛込防止リブは、蓋閉鎖状態で、前記飛出防止リブおよび第２側壁内面と接触せず、前記第２側壁内面と前記飛出防止リブとに挟まれた開閉側空間に上方から下向きに突出し、かつ、該噛込防止リブの下端を電線挿通路の中心側に向けて屈曲させて、前記開閉側空間に位置する電線を電線挿通路の中心側へと押し出す構成としていることを特徴とするワイヤハーネス用のプロテクタ。
【請求項２】
前記飛出防止リブは第２側壁の高さ方向の中間位置から突設すると共に突出端は前記電線挿通路の幅方向の中心より第２側壁寄りに位置させると共に前記第２側壁の高さより低く、
前記噛込防止リブはＪ形状とし、蓋閉鎖状態で前記飛出防止リブおよび第２側壁内面との間に電線移動用空間をあけている請求項１に記載のワイヤハーネス用のプロテクタ。
【請求項３】
前記蓋に設ける噛込防止リブおよびプロテクタ本体に設ける飛出防止リブを、プロテクタの長さ全長に設けている請求項１または請求項２に記載のワイヤハーネス用のプロテクタ。
【発明の詳細な説明】
【技術分野】
【０００１】
本発明は車両に配索するワイヤハーネス用のプロテクタに関し、詳しくは、プロテクタの電線挿通路にワイヤハーネスを挿通させた後に蓋を被せる際に、蓋と電線挿通路の側壁との間で電線の噛み込みを発生させないプロテクタに関する。
【背景技術】
【０００２】
車両に配索するワイヤハーネスは経路規制および外部干渉材からの保護を図る必要がある配索箇所では、樹脂成形品からなるプロテクタに挿通している。該プロテクタは、通常、樋形状としたプロテクタ本体にワイヤハーネスの電線群を挿通した後に、蓋で上面開口を閉鎖し、該蓋をプロテクタ本体の側壁にロック結合している。
【０００３】
該プロテクタにおいて、蓋を締める際に蓋とプロテクタ本体の側壁との接合部に電線が噛み込みやすい。よって、この電線の噛み込みを防止できるようにしたプロテクタが従来種々提案されている。  
【０００４】
例えば、特開平１１−２０５９４２号公報に開示されたプロテクタでは、図６（Ａ）〜（Ｃ）に示すように、プロテクタ本体１０１の一方の側壁１０２の上端とヒンジ結合した蓋１０４の内面で且つロック爪１０６の両側位置に傾斜した可撓性を有する電線かみ込み防止板１０５を突設している。蓋閉鎖時に電線かみ込み防止板１０５は他方の側壁１０３の上面の内面側に切り欠いて形成した傾斜面１０３ａに接触させるものとされている。該プロテクタでは、プロテクタ本体１０１にワイヤハーネスを挿通した後、蓋１０４を回転させてプロテクタ本体の上面開口を閉鎖し、蓋１０４のロック爪１０６を側壁１０３に設けたロック枠１０７に挿入係止してロック結合している。該蓋１０４の閉鎖工程で、電線かみ込み防止板１０５が側壁１０３の傾斜面１０３ａに当接し、側壁１０３の上端近傍の電線を電線挿通路の内部側へと滑り落とすことで、ロック結合部近傍での蓋１０４と側壁１０３との間に電線がかみ込むのを防止している。
【先行技術文献】
【特許文献】
【０００５】
【特許文献１】特開平１１−２０５９４２号公報
【発明の概要】
【発明が解決しようとする課題】
【０００６】
前記図６に開示されたプロテクタは、可撓性を有する電線かみ込み防止板１０５が側壁１０３の傾斜面１０３ａに突き当てられた状態のままとなって移動しない恐れがある。その場合、該電線かみ込み防止板１０５が、言わば突っ張り棒となって、蓋１０４の閉鎖作業の邪魔になる問題がある。
また、図７に示すように、プロテクタ本体内に挿入する電線群が多い場合、電線かみ込み防止板１０５が電線ｗと接触して傾斜面１０３ａを滑り落ちることができず、蓋１０４が閉鎖できなくなりやすい。
さらに、蓋１０４の内面は蓋閉鎖位置で側壁１０３の上面と接する設定となっているため、電線かみ込み防止板１０５が設けられていない領域で蓋内面と側壁１０３の上面に電線が噛み込む恐れもある。
【０００７】
本発明は前記問題に鑑みてなされたもので、プロテクタ本体の側壁上面と蓋内面との間に電線が噛み込むのを防止するとともに、蓋の閉鎖が邪魔されずにスムーズに行えるようにすることを課題としている。
【課題を解決するための手段】
【０００８】
前記課題を解決するため、本発明は、底壁と、該底壁の幅方向両端から突設される第１側壁と第２側壁とで電線挿通路を囲むプロテクタ本体と、前記第１側壁の上端にヒンジ部を介して一体的に設けた蓋とを備えたワイヤハーネス用のプロテクタであって、
前記蓋とヒンジ部を介して連結する前記第１側壁は第２側壁より高くする一方、前記蓋の開閉端縁に沿って前記第２側壁の上部外面に被せる垂れ壁を設け、該垂れ壁と前記第２側壁に互いに嵌合係止する係止部と被係止部を設け、該係止部と被係止部との係止状態で該第２側壁の上端と前記蓋の内面との間に電線噛込防止用空間をあけ、かつ、
前記第２側壁の内面から前記電線挿通路の中心側に向けて上向き傾斜した飛出防止リブを突設すると共に、前記蓋の内面に噛込防止リブを下向きに突設し、
前記噛込防止リブは、蓋閉鎖状態で、前記飛出防止リブおよび第２側壁内面と接触せず、前記第２側壁内面と前記飛出防止リブとに挟まれた開閉側空間に上方から下向きに突出し、かつ、該噛込防止リブの下端を電線挿通路の中心側に向けて屈曲させて、前記開閉側空間に位置する電線を電線挿通路の中心側へと押し出す構成としていることを特徴とするワイヤハーネス用のプロテクタを提供している。
【０００９】
前記のように、本発明では、プロテクタ本体の第１側壁と第２側壁とからなる両側壁の高さを変えて、蓋閉鎖位置で蓋内面と第２側壁の上面との間に隙間を設けているため、蓋内面と側壁上面との間に電線が噛み込むのを防止できる。
また、プロテクタ本体の第２側壁の内面から蓋内面に突設する飛出防止リブで、蓋閉鎖前に、電線挿通路に挿通する電線群を第２側壁の上部に近接しないように規制するため、蓋閉鎖時に、蓋内面に突設した噛込防止リブが電線に接触して電線挿通路に上方から挿入できなくなる恐れはない。かつ、該噛込防止リブは第２側壁および飛出防止リブに接触させない設定としているため、該蓋に突設した噛込防止リブが第２側壁あるいは飛出防止リブと突き当たって突っ張り棒となり、蓋の閉鎖を阻害する恐れもない。
【００１０】
前記飛出防止リブは第２側壁の高さ方向の中間位置から突設すると共に突出端は前記電線挿通路の幅方向の中心より第２側壁寄りに位置させると共に前記第２側壁の高さより低く、
前記噛込防止リブはＪ形状とし、蓋閉鎖状態で前記飛出防止リブおよび第２側壁内面と電線移動用空間をあけている事が好ましい。
【００１１】
さらに、前記蓋に設ける噛込防止リブおよびプロテクタ本体に設ける飛出防止リブをプロテクタの長さ全長に設けることが好ましい。
なお、前記噛込防止リブおよび飛出防止リブは必ずしもプロテクタの全長に設ける必要はなく、適宜、隙間をあけて設けても良いが、プロテクタの全長にわたって電線を第２側壁の上部側から電線挿通路の中央へと押し出すことができるものとしている。
【発明の効果】
【００１２】
前記した本発明のプロテクタでは、蓋をヒンジ結合した第１側壁の高さを蓋閉鎖時にロック結合する第２側壁の高さより大とし、第２側壁の上面と蓋内面とが接合しない設定としているため、側壁上面と蓋内面との間に電線が噛み込むことはない。また、該第２側壁の内面から突設した飛出防止リブで蓋閉鎖前に電線を第２側壁から反対方向の電線挿通路の中央側へ押し出し、さらに、蓋に設けた噛込防止リブで蓋閉鎖時に第２側壁の上部内面と飛出防止リブに囲まれた開閉側空間に位置する電線を電線挿通路の中央側に押し出すため、電線の噛み込みを確実に防止できる。
【図面の簡単な説明】
【００１３】
【図１】本発明の第１実施形態のプロテクタの斜視図である。
【図２】図１のプロテクタの蓋を開いた状態の平面図である。
【図３】蓋を閉鎖した状態の側面図である。
【図４】（Ａ）〜（Ｄ）はワイヤハーネスをプロテクタに通す工程を示す説明図である。
【図５】（Ａ）（Ｂ）は変形例のプロテクタの側面図である。
【図６】（Ａ）〜（Ｃ）は従来例のプロテクタを示す図面である。
【図７】前記従来例のプロテクタの問題点を示す図面である。
【発明を実施するための形態】
【００１４】
以下、本発明の実施形態のプロテクタを図面を参照して説明する。
図１乃至図４に第１実施形態のプロテクタを示す。プロテクタ１はプロテクタ本体２と蓋３とを一体的に成形した樹脂成形品からなる。
【００１５】
プロテクタ本体２は全体として上面開口の樋形状で、底壁１０と、該底壁１０の幅方向両端から突設される第１側壁１１と第２側壁１２とで電線挿通路１３を囲む形状としている。プロテクタ本体２の前記第１側壁１１の上端にヒンジ部１４を介して蓋３を設けている。蓋３はヒンジ部１４を支点として回転させ、プロテクタ本体２の上面開口を閉鎖するものとしている。該蓋３とヒンジ結合する第１側壁１１の高さＨ１は第２側壁１２の高さＨ２より高くしている。
【００１６】
蓋３には、ヒンジ結合側と反対の開閉端縁に沿って第２側壁１２の上部外面に被せる垂れ壁１５を設けている。該垂れ壁１５と第２側壁１２を互いにロック結合するため、第２側壁１２の外面上部にロック爪（係止部）１７を突設すると共に、垂れ壁１５にロック穴（被係止部）１８を設けている。該ロック爪１７とロック穴１８とはプロテクタ１の長さ方向の両側に設け、プロテクタ１が長尺な場合には長さ方向の中間位置にも設けている。
【００１７】
蓋３を閉鎖して、ロック爪１７をロック穴１８に挿入係止した状態で、第２側壁１２の上端面１２ａと前記蓋３の内面との間に電線噛込防止用空間Ｃ１をあけている。該電線噛込防止用空間Ｃ１の高さはプロテクタ１に挿通するワイヤハーネスの電線群中の太線の外径以上としている。これによりプロテクタ本体２の第２側壁１２の上端と蓋３の内面との間に噛み込まれる電線が圧縮されて損傷を受けるのを確実に防止している。
【００１８】
第２側壁１２の内面から電線挿通路１３の幅方向中心側に向けて上向き傾斜した飛出防止リブ２０を突設すると共に、蓋３の内面から噛込防止リブ３０を下向きに突設している。これら飛出防止リブ２０および噛込防止リブ３０はいずれも剛性を持たせていると共に、プロテクタ１の長さ方向の略全長に設けている。なお、全長に設けずに、長さ方向に間隔をあけて設けてもよい。
【００１９】
前記プロテクタ本体２に設ける飛出防止リブ２０は第２側壁１２の高さ方向の中間位置から上斜め方向にやや湾曲させて突設し、突出端は電線挿通路１３の幅方向の中心より第２側壁寄りに位置させるとともに第２側壁１２の高さより低い位置に設定している。
【００２０】
前記蓋３に設ける噛込防止リブ３０は垂れ壁１５に近接して設け、下向きに突出したＪ形状としている。該噛込防止リブ３０の下向き突出量は垂れ壁１５より短くしている。
蓋３の閉鎖過程で、噛込防止リブ３０は第２側壁１２の内面と飛出防止リブ２０の上面とに挟まれた垂直断面三角形状の開閉側空間Ｃ２に上方から下向きに突出する。かつ、蓋閉鎖完了状態で、噛込防止リブ３０の下端湾曲部３０ｂは電線挿通路１３の幅方向中心側に向けて湾曲し、前記開閉側空間Ｃ２に位置する電線を電線挿通路１３の中心側へと押し出すようにしている。かつ、該蓋閉鎖完了状態で噛込防止リブ３０は飛出防止リブ２０および第２側壁１２と接触せず、電線を移動可能とする隙間をあけている。よって、噛込防止リブ３０は飛出防止リブ２０との間に電線が挟まると、該電線により飛出防止リブ２０を下方へ撓ませ、挟まった電線を電線挿通路１３の幅方向中心側へと移動させることができるようにしている。
【００２１】
次に、前記プロテクタ１をワイヤハーネスに取り付ける工程について説明する。
図４（Ａ）に示すように、蓋３を開いた状態でワイヤハーネス４０の多数の電線ｗをプロテクタ本体２の上面開口より挿入する。該挿入時に電線挿通路１３の上方にあふれて飛び出そうとする電線ｗは飛出防止リブ２０により下方へと押し込まれると共に、第２側壁１２の内面上部に電線ｗが近接するのを飛出防止リブ２０で阻止できる。
【００２２】
図４（Ｂ）に示すように、プロテクタ本体２の電線挿通路１３にワイヤハーネス４０の電線を挿通した後、図４（Ｃ）に示すように、開いていた蓋３をヒンジ部１４を支点として閉鎖方向に回転させる。該蓋３は飛出防止リブ２０により電線挿通路１３の中央部へ押し出された電線ｗを下方に押し込みながら閉鎖されるが、一部の電線が飛出防止リブ２０の上面側の開閉側空間Ｃ２に移動する場合もある。
【００２３】
蓋３の閉じ動作に伴い、蓋内面に突設した噛込防止リブ３０が、第２側壁１２と飛出防止リブ２０に挟まれた開閉側空間Ｃ２に上方から挿入し、該開閉側空間Ｃ２に位置する電線ｗがあると、該電線ｗを電線挿通路１３の中央側の上部空間Ｃ３へ押し出す。
【００２４】
蓋３の閉じ動作の終了過程で、垂れ壁１５が第２側壁１２の外面に沿って移動し、垂れ壁１５のロック穴１８に第２側壁１２のロック爪１７が挿入係止し、図４（Ｄ）に示すように、蓋３はプロテクタ本体２にロック結合される。
【００２５】
蓋３がプロテクタ本体２にロック結合された状態で、第２側壁１２の上端面に電線ｗが位置しても、蓋３の内面との間に電線噛込防止用空間Ｃ１があるため、電線ｗは蓋３と第２側壁１２の上面との間に挟まれて損傷を受けることがない。かつ、該電線噛込防止用空間Ｃ１は開閉側空間Ｃ２と連続するため、蓋３の閉鎖時に開閉側空間Ｃ２に押し出されやすく、より確実に電線の噛み込み発生を防止できる。
【００２６】
また、前記噛込防止リブ３０および飛出防止リブ２０は、所要の撓み性と剛性を持たせているため、電線との接触で変形、破損が生じることなく電線を移動させることが出来る。かつ、プロテクタの長さ方向の略全長に設けているため、プロテクタの長さ方向の途中で電線がプロテクタ本体と蓋との間に噛み込むことも防止できる。
【００２７】
図５（Ａ）（Ｂ）にプロテクタの第１、第２変形例を示す。
図５（Ａ）に示す第１変形例では、噛込防止リブ３０および飛出防止リブ２０はプロテクタの長さ方向に間隔をあけて設けている。また、噛込防止リブ３０はＪ字状に変えて円弧形状とする一方、飛出防止リブ２０は上向きに直線傾斜した形状としている。さらに、噛込防止リブ３０および飛出防止リブ２０とも突出側に向けて次第に薄肉としている。
さらに、蓋の垂れ壁にロック爪Ｒ１を設け、第２側壁にロック穴Ｒ２を設け、前記第１実施形態と逆としている。
他の構成および作用は第１実施形態と同様であるため、同一符号を付して説明を省略する。
【００２８】
図５（Ｂ）に示す第２変形例では、プロテクタ本体２の第２側壁１２の内面から円弧状に突設する飛出防止リブ２０の下面にＶ溝２０ｍを連続的に設け、飛出防止リブ２０を下方に撓み易くしている。他の構成は第１実施形態と同様であるため同一符号を付して説明を省略する。
前記のように飛出防止リブ２０を下方に向けて撓み易くすると、図示のように噛込防止リブ３０と飛出防止リブ２０との間に電線ｗが挟まれた時に、飛出防止リブ２０は電線ｗの荷重で下向きに撓んで隙間をあけ、挟まれた電線ｗを電線挿通路１３の中央側へと落下させることができる。これにより、飛出防止リブ２０と噛込防止リブ３０の間に電線が挟まれて損傷を受けることを防ぐことができる。
【符号の説明】
【００２９】
１  プロテクタ
２  プロテクタ本体
３  蓋
１０  底壁
１１  第１側壁
１２  第２側壁
１３  電線挿通路
１４  ヒンジ部
１５  垂れ壁
１７  ロック爪
１８  ロック穴
２０  飛出防止リブ
３０  噛込防止リブ
Ｃ１  電線噛込防止用空間
Ｃ２  開閉側空間
Ｃ３  上部空間
４０  ワイヤハーネス
ｗ  電線
【図１】
2013207924.tif 000003
【図２】
2013207924.tif 000004
【図３】
2013207924.tif 000005
【図４】
2013207924.tif 000006
【図５】
2013207924.tif 000007
【図６】
2013207924.tif 000008
【図７】
2013207924.tif 000009